(57)【特許請求の範囲】
【請求項１】
被給油容器へ油液を送液する送液手段と、前記送液手段より送液される油液の給油量を計測するための流量計と、給油可能量或いは給油可能金額に基づく給油可能量が設定値として記憶されたプリペイドカードと、該プリペイドカードに記憶された設定値を読み取るカードリーダと、給油の開始を指示するための給油操作スイッチと、前記給油操作スイッチが操作されると前記送液手段による油液の送液を開始し、前記給油量が前記カードリーダにより読み取られた前記設定値に達したときに給油を停止するように前記送液手段を制御する制御手段とを有する給油装置において、
前記設定値と予め決められた一旦停止量とを比較する比較手段を備え、
前記制御手段は、
前記給油操作スイッチが操作された際に前記比較手段により前記設定値が前記一旦停止量以上であると判断された場合には、前記給油量が当該一旦停止量に達した時点で給油を停止させるように前記送液手段を制御するとともに、前記設定値より前記一旦停止量を差し引いた値を新たな設定値として設定し、また、前記設定値が前記一旦停止量以上でないと判断された場合には、前記給油量が当該設定値に達した時点で給油を停止させるように前記送液手段を制御し、
前記給油操作スイッチが再度操作された場合には、前記比較手段は前記新たな設定値と前記一旦停止量とを比較し、前記比較手段の比較結果により前記新たな設定値が前記一旦停止量以上であると判断された場合には、前記給油量が当該一旦停止量に達した時点で給油を停止させるように前記送液手段を制御するとともに、前記新たな設定値より前記一旦停止量を差し引いた値を更なる新たな設定値として設定し、また、前記新たな設定値が前記一旦停止量以上でないと判断された場合には、前記給油量が当該新たな設定値に達した時点で給油を停止させるように前記送液手段を制御し、もって、前記給油操作スイッチが操作される毎に前記一旦停止量を上限とした給油が繰り返し行なわれることを特徴とする給油装置。
【請求項２】
前記制御手段は、
前記一旦停止量の給油が停止してから所定時間以内に前記給油操作スイッチが操作された場合には、同一の前記被給油容器への追加給油であるものと判断し、当該給油操作スイッチが操作された後の給油量が当該追加給油に対応する設定値に達した時点で給油を停止させるように前記送液手段を制御するとともに、前記設定値より前記追加給油に対応する設定値を差し引いた値を前記新たな設定値として設定することを特徴とする請求項１に記載の給油装置。
【請求項３】
前記送液手段は、前記被給油容器に給油する際に下降されて当該被給油容器に挿入される給油パイプ機構を有してなり、
前記制御手段は、
前記一旦停止量の給油が停止してから前記給油パイプ機構が上昇されることなく前記給油操作スイッチが操作された場合には、同一の前記被給油容器への追加給油であるものと判断し、当該給油操作スイッチが操作された後の給油量が当該追加給油に対応する設定値に達した時点で給油を停止させるように前記送液手段を制御するとともに、前記設定値より前記追加給油に対応する設定値を差し引いた値を前記新たな設定値として設定することを特徴とする請求項１に記載の給油装置。
【発明の詳細な説明】
【０００１】
【発明の属する技術分野】
本発明は給油装置に係り、特にポリ容器に所定量の油液を給油できるよう構成された給油装置に関する。
【０００２】
【従来の技術】
給油所では、ガソリンや軽油以外の油種として灯油の販売も行っている。
通常、ガソリンや軽油の給油を行う計量機とは別に灯油専用の計量機が設けられており、自動車の燃料タンクにガソリンを給油するついでに顧客が空のポリ容器を持参すると、給油所の作業員が計量機の給油ノズルをポリ容器の給油口に差し込んで給油を行う。
【０００３】
従来、灯油専用の計量機は、地上固定式の計量機よりなり、ガソリンや軽油等の計量機と同様に、計量機から導出される可撓性を有する給油ホースと、その給油ホース先端に設けられてポリ容器の給油口に挿入される給油ノズルとを有している。
このような計量機を用いて灯油を給油する場合、空のポリ容器を地面に置いた状態で作業員が計量機に接続された給油ホースを延ばして給油ノズルの吐出パイプをポリ容器の給油口に挿入した後、給油ノズルのノズルレバーを開弁方向に操作して給油を開始する。尚、ポリ容器には、容量の異なる複数の種類があるため、作業員はその都度顧客に給油量を確認してから給油を開始している。
【０００４】
そして、ポリ容器内の液面が上昇して給油ノズルの吐出パイプに達すると自動閉弁機構が作動して給油ノズルの主弁が閉弁する。このとき、目標とする２０リットルあるいは１８リットルに達していないので、作業員は給油ノズルのノズルレバーを半開に操作して少流量で給油を行う。そして、計量機の表示器に２０リットルあるいは１８リットルが表示されるまで、追加給油を行う。
【０００５】
ところが、従来の給油装置では、ポリ容器を地面に置いた状態で給油するため、作業員が腰を曲げて給油ノズルを操作しなければならず、給油操作がやりづらかった。
さらに、作業員は給油終了まで給油ノズルのグリップを把持していないと給油ノズルがポリ容器の給油口から外れてしまうので、腰を曲げた姿勢のまま給油ノズルを支えなければならない。そのため、１個のポリ容器に灯油を給油するのに多くの労力を要していた。
【０００６】
このような不都合を解消するため、給油ノズルを昇降可能に支持して給油する方法、あるいは計量機の側面から下方に延在された給油管をポリ容器の給油口に挿入して給油する方法が開発されている。
さらに、予めプリペイドカードのカードデータがカードリーダによって読み込まれると、給油量がプリセットされ、給油操作釦が押圧操作されている間のみ給油されるセルフサービス給油機能を有する給油装置が開発されている。この給油装置では、給油操作釦が押圧操作されると電磁弁が開弁（あるいはポンプ起動）されて給油が開始され、給油操作釦の押圧操作が解除されると電磁弁が閉弁（あるいはポンプ停止）されて給油が停止する。そして、給油停止後、給油量等が記載された伝票が発行される。
【０００７】
【発明が解決しようとする課題】
上記のような給油装置においては、カードデータとして１回の給油で給油される給油量が記憶された給油量プリペイドカードと、給油可能な金額が記憶された金額プリペイドカードとの２種類のプリペイドカードが使用されている。給油量プリペイドカードを使用して給油する場合は、給油すべきポリ容器の容量に対応した給油量可能量がカードデータとして記憶された給油量プリペイドカードを購入する必要がある。例えば１８リットルの容量を有するポリ容器に給油するとき、１８リットルが給油可能量として記憶された給油量プリペイドカードを購入し、ポリ容器の容量が２０リットルであるときは、２０リットルが給油可能量として記憶された給油量プリペイドカードを購入する。そして、ポリ容器が２個又は３個ある場合には、２枚又は３枚の給油量プリペイドカード、又はポリ容器が１８リットルであれば３６リットル、５４リットルのプリペイドカードを購入することになる。
【０００８】
この給油量プリペイドカードシステムは、カードリーダに挿入されてカードデータとして１回の給油で給油される給油量が読み込まれると、１回の給油処理で給油される給油量（１８又は２０リットル）を設定値として給油装置に設定させることができる。
また、金額プリペイドカードを使用して給油する場合は、予めカードデータとして記憶された金額に応じた給油可能量が設定され、その分連続して複数回の給油が可能となる。従って、金額プリペイドカードに１万円の金額データが記憶されているときは、１万円分の給油が可能であり、例えば１リットルが５０円であるとすると、２００リットルの灯油が給油可能量として給油装置に設定することができる。
【０００９】
ところが、金額プリペイドカードがカードリーダに挿入されて金額データがカードデータとして読み込まれると、給油されるポリ容器の容量に関係なく金額データに基づいて給油可能量が設定値として設定されてしまう。そのため、顧客は、金額プリペイドカードを使用する場合、ポリ容器の容量に応じた給油可能量をテンキー操作等により手動操作で入力しなければならない。
【００１０】
従って、従来の給油装置では、金額プリペイドカードを使用して給油するとき、その都度ポリ容器の容量を確認して給油可能量を手動操作で入力することになるので、設定操作が面倒であるといった問題がある。
そこで、本発明は上記課題を解決した給油装置を提供することを目的とする。
【００１１】
【課題を解決するための手段】
本発明は上記課題を解決するため、以下のような特徴を有する。
上記請求項１記載の発明は、被給油容器へ油液を送液する送液手段と、前記送液手段より送液される油液の給油量を計測するための流量計と、給油可能量或いは給油可能金額に基づく給油可能量が設定値として記憶されたプリペイドカードと、該プリペイドカードに記憶された設定値を読み取るカードリーダと、給油の開始を指示するための給油操作スイッチと、前記給油操作スイッチが操作されると前記送液手段による油液の送液を開始し、前記給油量が前記カードリーダにより読み取られた前記設定値に達したときに給油を停止するように前記送液手段を制御する制御手段とを有する給油装置において、
前記設定値と予め決められた一旦停止量とを比較する比較手段を備え、
前記制御手段は、
前記給油操作スイッチが操作された際に前記比較手段により前記設定値が前記一旦停止量以上であると判断された場合には、前記給油量が当該一旦停止量に達した時点で給油を停止させるように前記送液手段を制御するとともに、前記設定値より前記一旦停止量を差し引いた値を新たな設定値として設定し、また、前記設定値が前記一旦停止量以上でないと判断された場合には、前記給油量が当該設定値に達した時点で給油を停止させるように前記送液手段を制御し、
前記給油操作スイッチが再度操作された場合には、前記比較手段は前記新たな設定値と前記一旦停止量とを比較し、前記比較手段の比較結果により前記新たな設定値が前記一旦停止量以上であると判断された場合には、前記給油量が当該一旦停止量に達した時点で給油を停止させるように前記送液手段を制御するとともに、前記新たな設定値より前記一旦停止量を差し引いた値を更なる新たな設定値として設定し、また、前記新たな設定値が前記一旦停止量以上でないと判断された場合には、前記給油量が当該新たな設定値に達した時点で給油を停止させるように前記送液手段を制御し、もって、前記給油操作スイッチが操作される毎に前記一旦停止量を上限とした給油が繰り返し行なわれることを特徴とするものである。
【００１２】
従って、上記請求項１記載の発明によれば、給油操作スイッチが再度操作された場合には、比較手段の比較結果により新たな設定値が一旦停止量以上であると判断された場合には、給油量が当該一旦停止量に達した時点で給油を停止させるように送液手段を制御するとともに、新たな設定値より一旦停止量を差し引いた値を更なる新たな設定値として設定し、また、新たな設定値が一旦停止量以上でないと判断された場合には、給油量が当該新たな設定値に達した時点で給油を停止させるように送液手段を制御し、もって、給油操作スイッチが操作される毎に一旦停止量を上限とした給油が繰り返し行なわれるため、手動で給油可能量を設定操作する必要がなく金額プリペイドカードを使用する場合でも面倒な設定操作が不要となり、セルフサービス給油の操作が容易に行なえる。
【００１３】
また、請求項２記載の発明は、前記制御手段は、
前記一旦停止量の給油が停止してから所定時間以内に前記給油操作スイッチが操作された場合には、同一の前記被給油容器への追加給油であるものと判断し、当該給油操作スイッチが操作された後の給油量が当該追加給油に対応する設定値に達した時点で給油を停止させるように前記送液手段を制御するとともに、前記設定値より前記追加給油に対応する設定値を差し引いた値を前記新たな設定値として設定することを特徴とするものである。
【００１４】
従って、上記請求項２記載の発明によれば、一旦停止量の給油が停止してから所定時間以内に給油操作スイッチが操作された場合には、同一の被給油容器への追加給油であるものと判断するため、２回目以降の給油が追加給油か別の被給油容器への給油かを設定する必要がなく、セルフサービス給油の操作が容易に行なえる。
【００１５】
また、請求項３記載の発明は、前記送液手段は、前記被給油容器に給油する際に下降されて当該被給油容器に挿入される給油パイプ機構を有してなり、
前記制御手段は、
前記一旦停止量の給油が停止してから前記給油パイプ機構が上昇されることなく前記給油操作スイッチが操作された場合には、同一の前記被給油容器への追加給油であるものと判断し、当該給油操作スイッチが操作された後の給油量が当該追加給油に対応する設定値に達した時点で給油を停止させるように前記送液手段を制御するとともに、前記設定値より前記追加給油に対応する設定値を差し引いた値を前記新たな設定値として設定することを特徴とするものである。
【００１６】
従って、上記請求項３記載の発明によれば、一旦停止量の給油が停止してから給油パイプ機構が上昇されることなく給油スイッチが操作された場合には、同一の被給油容器への追加給油であるものと判断するため、２回目以降の給油が追加給油か別の被給油容器への給油かを設定する必要がなく、セルフサービス給油の追加給油操作が容易に行なえる。
【００１７】
【発明の実施の形態】
以下、図面と共に本発明の実施の形態について説明する。
図１は本発明になる給油装置の一実施例を示す構成図である。
図１に示されるように、給油装置１１は、灯油のセルフサービス給油を行う給油システムであり、大略、給油エリアに設置された計量機１２と、計量機１２の近傍に設置されたカードリーダボックス１４と、受付１６に設置されたオートレジスタ１８と、プリペイドカード（図示せず）を発券する券売機２０とから構成されている。券売機２０は、顧客が給油量に応じた給油量プリペイドカード又は購入金額に応じた金額プリペイドカードを発券するように構成されており、前面に例えば１８リットル１回給油券、１８リットル２回給油券、２０リットル１回給油券、２０リットル２回給油券又は２千円給油券、５千円給油券、７千円給油券、１万円給油券を選択的に指定する給油量選択釦２０ａ〜２０ｄと、料金表示器２０ｅと、料金支払い部２０ｆと、おつり返却口２０ｇが設けられている。
【００１８】
オートレジスタ１８は、管理キースイッチ１８ａと、カードリーダ１８ｂと、各種操作スイッチ釦１８ｃと、各種メーセージを表示する表示器１８ｄとが配設されている。また、オートレジスタ１８は、シリアル回線からなるＳＳ−ＬＡＮ２２を介して計量機１２及びカードリーダボックス１４と通信可能に接続されており、カードリーダボックス１４にプリペイドカードが挿入されると、計量機１２に対し給油許可信号を出力すると共に、プリペイドカードに記憶された給油データに基づいて給油すべき給油量をプリセットする。さらに、オートレジスタ１８は、使用済みのプリペイドカードを再生するためのカード再生機能も有している。
【００１９】
また、カードリーダボックス１４には、券売機２０で購入されたプリペイドカードが挿入されるカードリーダ部１４ａと、事務所と通話するためのインタホーン１４ｂと、カードリーダ部１４ａで読み込まれたカードデータが正しいか否かを表示する状態表示パネル１４ｃとを有する。
尚、カードリーダ部１４ａは、プリペイドカードが挿入されると、プリペイドカードの磁気記憶部に記憶された給油データ（給油可能量として１８リットル又は２０リットル又は金額に応じた給油量等）を読み込む。そして、プリペイドカードに未給油のデータが残っていないときは、挿入されたプリペイドカードを返却せずに回収するよう構成されている。
【００２０】
計量機１２は、左右側面にセルフサービス給油を行なう給油系統２４，２６が設けられている。計量機１２の左側に配設された給油系統２４は、通常の給油ノズル、給油ホースを有している。そして、計量機１２の右側に設けられた給油系統２６は、給油ノズルの代わりに昇降可能な給油パイプ機構２８を用いてタンク載置台３０に載置されたポリ容器３２に給油を行なう構成となっている。
【００２１】
図２は計量機１２の正面図である。また、図３は計量機１２の右側面図である。
図２及び図３に示されるように、計量機１２は、右側面から右方向に延在する一対の注油管路３３が配設されている。この注油管路３３は、灯油をポリ容器３２に吐出するための管路であり、先端部分が下方に向かって延在するように形成されている。
【００２２】
また、注油管路３３は、基端部が電磁弁（後述する）に接続され、先端部が垂下方向に延在されている。注油管路３３の下方には、給油パイプ機構２８が連通されている。この給油パイプ機構２８は、径の異なる２本のパイプ２８ａ，２８ｂが上下方向（Ｙ方向）に摺動可能に嵌合された構成とされている。すなわち、給油する前は２本のパイプが重なり合うように短くされ、ポリ容器３２に給油する際は把手２９を引き下ろすことにより外側のパイプ２８ａが下方に摺動されてポリ容器３２の給油口３２ａに挿入される。
【００２３】
尚、パイプ２８ａの下端開口部に泡が達したとき泡チューブ３１を介して圧力変化を検出する泡センサ２７が取り付けられている。また、泡チューブ３１の下端部３１ａは、パイプ２８ａの先端部近傍に接続されており、給油口３２ａの泡により閉塞されると泡チューブ３１への空気供給が停止する。また、泡チューブ３１の上端部３１ｂは、注油管路３３の先端部近傍に接続されており、負圧発生部として機能する。
【００２４】
そして、泡センサ２７は、上端部３１ｂで発生した負圧により下端部３１ａからの空気が供給されているときは、内部のダイヤフラム（図示せず）が変位せず、下端部３１ａが泡により閉塞されると下端部３１ａからの空気供給が遮断されて内部のダイヤフラムが変位する。このダイヤフラムの変位は、フォトインタラプタ等の光センサを用いて検出しており、光センサからの検出信号が泡検出信号として制御回路６０に出力される。
【００２５】
また、ポリ容器３２は、給油口３２ａが給油しやすい高さ位置となるように容器載置台３０に載置される。
計量機１２の正面の上部には、給油量を表示する表示器３４が設けられている。また、計量機１２の左右側面には、給油操作スイッチ釦３６と、強制終了スイッチ釦（給油終了指示手段）３８とが配設されている。尚、給油操作スイッチ釦３６及び強制終了スイッチ釦３８は、押圧操作されているときオンとなり、押圧操作が解除されるとオフに復帰する押しボタンスイッチからなる。
【００２６】
給油操作スイッチ釦３６は、給油を行ないたい要求（給油許可要求信号）をオートレジスタ１８の表示・ブザーにより監視者に知らせ監視者が操作スイッチ釦１８ｃの許可ボタン操作により計量機１２が給油許可となる。給油許可後は、給油操作スイッチ釦３６の押圧操作中は給油が行なえる。そして、給油操作スイッチ釦３６の押圧操作が解除されると給油を停止させるようになっている。また、強制終了スイッチ釦３８は、プリセット給油の途中で給油を強制的に停止して終了させる場合に押圧操作されて給油終了を指示するためのスイッチ釦である。
【００２７】
図４は計量機１２の内部構成を示す縦断面図である。
図４に示されるように、計量機１２の筐体４０内部には、地下タンク（図示せず）に連通された給油管路４２が配設されている。この給油管路４２には、ベーンポンプ４４と、２段閉弁式の電磁弁４６と、４ピストン式の流量計４７とが配設されている。また、筐体４０の支柱４０ｂには、給油ポンプ４５を駆動するモータ４８と、流量計４７のロータ回転が伝達されて流量パルスを出力する流量パルス発振器５２とよりなる。そして、電磁弁４６の流出口には、前述した注油管路３３が接続されている。
【００２８】
ここで、上記のように構成されたセルフサービス給油システムの操作手順につて説明する。
▲１▼  先ず、灯油を購入する顧客は、受付１６で券売機２０で希望する給油量のプリペイドカードを購入する。
▲２▼  次に顧客は、給油エリアに移動してカードリーダボックス１４のカードリーダ部１４ａにプリペイドカードを挿入してカードデータ（給油データ）を読み取らせる。
【００２９】
オートレジスタ１８は、計量機１２から給油許可要求信号が出力されるのを待つ。
▲３▼  そして、顧客は、ポリ容器３２をタンク載置台３０に載置してポリ容器３２の給油口３２ａのキャップを外す。そして、給油パイプ機構２８の把手２９を把持し、パイプ２８ａを下方に摺動させて給油口３２ａに挿入させる。
▲４▼  続いて、顧客は、計量機１２に設けられた給油操作スイッチ釦３６を押圧操作してオンにする。そして、計量機１２の制御回路６０は、オートレジスタ１８に給油許可信号が送られ、オートレジスタ１８の表示、ブザーにより監視者に通知する。これにより、監視者は、安全を確認し、操作スイッチ釦１８ｃの許可ボタンを押す。
【００３０】
この操作でオートレジスタ１８から計量機１２へ給油許可信号が出力されると、給油ポンプ４５のモータ４８を駆動すると共に電磁弁４６を開弁する。これにより、ポリ容器３２への給油が開始される。
▲５▼  給油操作スイッチ釦３６が押圧操作されている間、ポリ容器３２への給油が継続される。そして、給油操作スイッチ釦３６の押圧操作が解除された場合、あるいはパイプ２８ａの下端開口に設けられた泡センサ２７が給油時の液面に発生する泡を検知すると、電磁弁４６を閉弁させる。
【００３１】
また、強制終了スイッチ釦３８がオンに操作されると、給油途中で給油操作スイッチ釦３６の押圧操作されていても電磁弁４６を閉弁させ、給油ポンプ４５のモータ４８を停止させる。
▲６▼  この後、顧客は、給油パイプ機構２８の把手２９を把持し、パイプ２８ａを上方に摺動させて給油口３２ａから引き抜く。そして、ポリ容器３２の給油口３２ａにキャップを装着してポリ容器３２をタンク載置台３０から移動させる。
▲７▼  尚、プリペイドカードに未給油の代金が残っている場合には、プリペイドカードをカードリーダボックス１４のカードリーダ部１４ａから返却させ、プリペイドカードの残量がゼロであるときはプリペイドカードがカードリーダボックス１４に回収される。
【００３２】
図５は計量機１２の制御系の構成を示すブロック図である。
図５に示されるように、制御回路６０は、カードリーダボックス１４のカードリーダ部１４ａと、泡センサ２７と、給油操作スイッチ釦３６と、強制終了スイッチ釦３８と、給油ポンプ４５を駆動するモータ４８と、電磁弁４６と、流量計４７と、表示器３４と接続されている。
【００３３】
図６は計量機１２の制御回路６０が実行する制御処理を説明するためのフローチャートである。
図６に示されるように、制御回路６０は、ステップＳ１１（以下「ステップ」を省略する）において、給油操作スイッチ釦３６がオンに操作されたかどうかをチェックする。Ｓ１１で給油操作スイッチ釦３６がオンに操作されると、Ｓ１２に進み、オートレジスタ１８から給油許可信号が入力され、且つカードリーダボックス１４で読み取られたカードデータ（給油可能量又は給油可能金額）が入力されたかどうかをチェックする。
【００３４】
そして、Ｓ１２において、給油許可信号が入力され、且つカードデータが入力されたときは、Ｓ１３に進み、給油ポンプ４５のモータ４８を起動させる。続いて、Ｓ１４で一旦停止量設定処理を行なう。この一旦停止量は、計量機が給油開始から給油を停止させるための設定値（プリペイドカードに記憶された給油量・金額データに基づいてオートレジスタ１８から送信されるプリセット値）であり、後述するように設定処理が行なわれる。
【００３５】
次のＳ１５では、電磁弁４６を開弁させる。これにより、ポリ容器３２への給油が開始される。次のＳ１６では、流量計４７によって計測された今回給油量（一のポリ容器３２への給油の量）がプリセットされた一旦停止量（設定値）に達したかどうかをチェックする（比較手段）。このＳ１６において、流量計４７によって計測された今回給油量がプリセットされた一旦停止量に達していないときは、Ｓ１７に移行して給油操作スイッチ釦３６がオフになったかどうかをチェックする。
【００３６】
また、Ｓ１７において、給油操作スイッチ釦３６がオンであるときは、再びＳ１６に戻り、流量計４７によって計測された今回給油量がプリセットされた一旦停止量に達したかどうかをチェックする。そして、Ｓ１６において、流量計４７によって計測された今回給油量がプリセットされた一旦停止量に達したときは、Ｓ１８に進み、電磁弁４６を閉弁させる。
【００３７】
次のＳ１９では、プリセット給油終了後に給油操作スイッチ釦３６がオフになったかどうかをチェックする。このＳ１９において、給油操作スイッチ釦３６がオフであるときは、Ｓ２０に進む。
次のＳ２０では、給油停止スイッチ釦３８がオンかどうかをチェックする。Ｓ２０において、給油停止スイッチ釦３８がオンであるときは、今回の給油が終了したものと判断し、Ｓ２１で給油ポンプ４５のモータ４８を停止させると共に、Ｓ２２で給油を終了させ、且つポリ容器３２へ給油された給油量データを給油終了信号としてオートレジスタ１８へ出力する。これにより、オートレジスタ１８は、給油量等の伝票を発行すると共に、給油データを記憶する。
【００３８】
また、Ｓ２０において、給油停止スイッチ釦３８がオフであるときは、Ｓ２３に進み、給油操作スイッチ釦３６がオンに操作されたかどうかをチェックする。そして、Ｓ２３で給油操作スイッチ釦３６がオンであるときは、給油を再開したものと判断して上記Ｓ１４に戻り、給油操作スイッチ釦３６がオフに操作されたときは、Ｓ２４に進み、予め設定された所定時間ｔが経過したかどうかをチェックする。
【００３９】
Ｓ２４において、所定時間ｔが経過する前は上記Ｓ２０に戻り、所定時間ｔが経過したときは、Ｓ２５に進み、エラーを報知する。その後、上記Ｓ２１に移行して給油ポンプ４５のモータ４８を停止させると共に、Ｓ２２で給油を終了させ、且つポリ容器３２へ給油された給油量データを給油終了信号としてオートレジスタ１８へ出力する。
【００４０】
また、上記Ｓ１６で流量計４７によって計測された今回給油量がプリセットされた一旦停止量に達する前に、Ｓ１７で給油操作スイッチ釦３６がオフであるときは、Ｓ２６に進み、電磁弁４６を閉弁させる。そして、Ｓ２７で給油停止スイッチ釦３８がオンかどうかをチェックする。Ｓ２７において、給油停止スイッチ釦３８がオンであるときは、今回給油量が一旦停止量に達する前に給油を中断するものと判断してＳ２１に進み、上記Ｓ２１，Ｓ２２の給油停止処理を実行する。
【００４１】
また、Ｓ２７において、給油停止スイッチ釦３８がオフであるときは、Ｓ２８に進み、給油操作スイッチ釦３６がオンに操作されたかどうかをチェックする。そして、Ｓ２８において、給油操作スイッチ釦３６がオンであるときは、中断した給油処理を再開したものと判断して前述した上記Ｓ１５に戻り、給油操作スイッチ釦３６がオフであるときは、Ｓ２９に進み、予め設定された所定時間ｔが経過したかどうかをチェックする。
【００４２】
Ｓ２９において、所定時間ｔが経過する前は上記Ｓ２７に戻り、所定時間ｔが経過したときは、Ｓ３０に進み、エラーを報知する。その後、上記Ｓ２１に移行し、上記Ｓ２１，Ｓ２２の給油停止処理を実行する。
このように、Ｓ１４において、一旦停止量の設定処理が行なわれるため、顧客自身がポリ容器３２の容量を確認して手動操作で一回の給油量をプリセットするといった面倒な操作が不要になる。また、上記Ｓ１６において、流量計４７によって計測された今回給油量がプリセットされた一旦停止量に達した時点でポリ容器３２への給油が停止されるため、ポリ容器３２の容量に拘わらずポリ容器３２の給油口からオーバフローする前に給油を停止させることができる。
【００４３】
図７は図６のＳ１４で実行される一旦停止量設定処理のサブルーチンを説明するためのフローチャートである。
図７に示されるように、Ｓ３１では、今回給油量のカウンタをリセットする。尚、表示器３４に表示される給油量の数値は、そのまま表示させる。
次のＳ３２では、カードリーダボックス１４で読み取られたカードデータ（給油可能量又は給油可能金額）により設定される設定量がゼロかどうかをチェックする。このＳ３２において、カードデータ（給油可能量又は給油可能金額）による設定量がゼロのときは、Ｓ３３に進み、一旦停止量をゼロに設定する。すなわち、今回は給油不可となる。
【００４４】
上記Ｓ３２において、設定量がゼロでないときは、Ｓ３４に進み、設定量が１８リットル以下かどうかをチェックする。このＳ３４において、カードデータ（給油可能量又は給油可能金額）による設定量が１８リットル以下のときは、Ｓ３５に進み、一旦停止量をカードデータに応じた任意の設定量（１〜１８リットル）に設定する。そして、Ｓ３６でプリセットされた設定量をゼロにする。これで今回の一旦給油量設定処理を終了する。
【００４５】
また、上記Ｓ３４において、設定量が１８リットル以下でないときは、Ｓ３７に進み、設定量＝１８リットルかどうかをチェックする。このＳ３７において、設定量が１８リットル（給油量プリペイドカードによる）であるときは、Ｓ３８に進み、一旦停止量を１８リットルに設定する。その後、Ｓ３６に移行してプリセットされた設定量をゼロにする。
【００４６】
また、上記Ｓ３７において、設定量が１８リットルでないときは、Ｓ３９に進み、設定量＝２０リットルかどうかをチェックする。このＳ３９において、設定量が２０リットル（給油量プリペイドカードによる）であるときは、Ｓ４０に進み、一旦停止量を２０リットルに設定する。その後、Ｓ３６に移行してプリセットされた設定量をゼロにする。
【００４７】
また、上記Ｓ３９において、設定量＝２０リットルでないときは、Ｓ４１に進み、設定量が１８０リットル以上かどうかをチェックする（比較手段）。このＳ４１において、設定量が１８０リットル以上であるときは、金額プリペイドカードに対応できるようにするためＳ４２に進み、一旦停止量を１８リットル（標準値）に設定する（設定値設定手段）。その後、Ｓ４３に移行してプリセットされた設定量（１８リットル）を金額プリペイドカードの金額データから減算する。これで今回の一旦給油量設定処理を終了する。
【００４８】
また、上記Ｓ４１において、設定量が１８０リットル以上でないときは、Ｓ４４に進み、設定量が１８リットルの倍数かどうかをチェックする（容量判別手段）。このＳ４４において、設定量が１８リットルの倍数であるときは、ポリ容器３２の容量が１８リットルであるものと判断し、上記Ｓ４２，Ｓ４３の処理を実行する。
【００４９】
また、上記Ｓ４４において、設定量が１８リットルの倍数でないときは、Ｓ４５に進み、設定量が２０リットルの倍数かどうかをチェックする（容量判別手段）。このＳ４５において、設定量が２０リットルの倍数であるときは、ポリ容器３２の容量が２０リットルであるものと判断し、Ｓ４６で一旦停止量を２０リットルに設定する（設定値設定手段）。その後、Ｓ４７に移行してプリセットされた設定量（２０リットル）を金額プリペイドカードの金額データから減算する。これで今回の一旦給油量設定処理を終了する。
【００５０】
また、上記Ｓ４５において、設定量が２０リットルの倍数でないときは、１８リットル又は２０リットル以外の端数を含む設定量であるので、Ｓ４８に進み、一旦停止量を１８リットルに設定する。その後、Ｓ４９に移行してプリセットされた設定量（１８リットル）を金額プリペイドカードの金額データから減算する。これで今回の一旦給油量設定処理を終了する。
【００５１】
このように、給油量プリペイドカード記憶されているカードデータ（１８リットル又は２０リットル）の種類に基づいてポリ容器３２の容量に応じた一旦停止量を設定することができる。
さらに、金額プリペイドカードのように複数回分の給油可能量のカードデータ（例えば１万円分に相当する給油可能量として２００リットル）が入力された場合には、一旦停止量を１８リットルに設定することによりポリ容器３２の容量が１８リットル又は２０リットルのどちらでも対処することができる。そして、金額プリペイドカードから読み込まれたカードデータが１８０リットル以下であるときは、設定量が１８リットル又は２０リットルの倍数かどうかを確認して設定量を決めるため、金額プリペイドカードを使用してもポリ容器３２の容量に応じた設定量を設定することができる。
【００５２】
従って、従来のように手動で給油可能量を設定操作する必要がなく金額プリペイドカードを使用する場合でも面倒な設定操作が不要となり、セルフサービス給油の操作が容易に行なえる。
尚、本実施例においては、計量機の側面から下方に延在された給油管を有する計量機を例として説明したが、従来の給油ノズルを有する計量機に適用しても良く、この場合、再給油を指示するための手段として給油ノズルを掛け外しするノズル掛け内に設けられたノズルスイッチを利用して一旦停止量で給油が停止した後の給油ノズルが掛けられた状態から外された状態になるまでのノズルスイッチの操作時間を計測し、操作時間が所定時間以下であるかどうかを判断して所定時間以下であれば再給油を開始するようにすれば良い。
【００５３】
また、操作時間が所定時間よりも大きい場合には、当該顧客の給油が終了したものと判断してポンプを止めるようにすれば良い。
図８は図６に示す制御処理の変形例１を説明するためのフローチャートである。
尚、図８において、Ｓ５１〜Ｓ５８、及びＳ７１〜Ｓ７５は、図６のＳ２１〜Ｓ２８、及びＳ２６〜Ｓ３０と同様な処理を行なうため、同一処理の説明は省略する。
【００５４】
図８中、Ｓ５９では、給油操作スイッチ釦３６がオフに操作されたかどうかをチェックする。そして、Ｓ５９において、給油操作スイッチ釦３６がオフであるときは、Ｓ６０に進み、タイマをリセットしてタイマをスタートさせる。
次のＳ６１では、給油停止スイッチ釦３８がオンかどうかをチェックする。このＳ６１において、給油停止スイッチ釦３８がオンであるときは、Ｓ６２に進み、給油ポンプ４５のモータ４８を停止させると共に、Ｓ６３で給油を終了させ、且つポリ容器３２へ給油された給油量データを給油終了信号としてオートレジスタ１８へ出力する。
【００５５】
しかし、Ｓ６１において、給油停止スイッチ釦３８がオフであるときは、Ｓ６４に進み、給油操作スイッチ釦３６がオンに再操作されたかどうかをチェックする（操作態様検出手段）。そして、Ｓ６４において、給油操作スイッチ釦３６がオフであるときは、Ｓ６９に進み、予め設定された所定時間ｔ2 が経過したかどうかをチェックする。  Ｓ６４において、所定時間ｔ2 が経過する前は上記Ｓ６１に戻り、所定時間ｔ2 が経過したときは、前述したＳ７０に進み、エラーを報知する。その後、上記Ｓ６２に移行して給油ポンプ４５のモータ４８を停止させると共に、Ｓ６３で給油を終了させる。
【００５６】
また、上記Ｓ６４において、給油操作スイッチ釦３６がオンであるときは、Ｓ６５に進み、上記Ｓ６０でスタートさせたタイマにより計測された給油操作スイッチ釦３６がＳ６１でオフに操作されてからＳ６４でオンに再操作されるまでの操作時間を記憶する。
続いて、Ｓ６６では今回の追加給油又は次回の給油を行なうものと判断して再給油フラグを１にセットする。次のＳ６７では、給油操作スイッチ釦３６が再操作されるまでの操作時間が予め設定された所定時間ｔ1 以上であるかどうかをチェックする（判別手段）。
【００５７】
所定時間ｔ1 は、別のポリ容器３２に給油する場合にポリ容器３２を給油位置で入れ替えるのに要する時間であり、例えば１０秒に設定する。そして、Ｓ６７において、操作時間が所定時間ｔ1 以上であるときは、Ｓ６８に進み、別のポリ容器３２を給油位置に用意しているのものと判断し、次給油フラグを１にセットする（設定値設定手段）。その後、前述したＳ５４の一旦停止量設定処理へ移行する。
【００５８】
また、上記Ｓ６７において、操作時間が所定時間ｔ1 以下であるときは、今回の追加給油により一旦停止量の足りない分を補充するため、Ｓ６８の処理を省略して前述したＳ５４の一旦停止量設定処理へ移行する。すなわち、ポリ容器３２の容量が２０リットルであるのに一旦停止量が１８リットルに設定された場合、２リットルの追加給油を行なうように設定することができる。
【００５９】
このように、変形例１では、給油操作スイッチ釦３６がオフに操作されてからオンに再操作されるまでの操作時間をタイマにより測定し、これを記憶して所定時間ｔ1 と比較することにより今回の追加給油を行なうのか、次回の給油を行なうのかを判定することができる。これにより、１８リットル又は２０リットルといったように容量の異なるポリ容器３２に給油する場合でも自動的に給油状況を認識して給油処理することができる。
【００６０】
図９は図６に示す制御処理の変形例２を説明するためのフローチャートである。
尚、図９において、Ｓ８１〜Ｓ８８、及びＳ１００〜Ｓ１０４は、図６のＳ２１〜Ｓ２８、及びＳ２６〜Ｓ３０と同様な処理を行なうため、同一処理の説明は省略する。
【００６１】
図９中、Ｓ８９では、給油操作スイッチ釦３６がオフに操作されたかどうかをチェックする。そして、Ｓ８９において、給油操作スイッチ釦３６がオフであるときは、Ｓ９０に進み、給油パイプ機構２８のパイプ２８ａが上昇されてポリ容器３２の給油口から引き上げられたかどうかをチェックする。
このＳ９０において、給油パイプ機構２８のパイプ２８ａが上昇したときは、Ｓ９１に進み、別のポリ容器３２を給油位置に用意しているのものと判断し、次給油フラグを１にセットする。
【００６２】
しかし、Ｓ９０において、給油パイプ機構２８のパイプ２８ａが上昇しないときは、パイプ２８ａがポリ容器３２に挿入されたままであるので、今回給油の追加給油を行なうものと判断し、Ｓ９１の処理を省略してＳ９２に進む。すなわち、ポリ容器３２の容量が２０リットルであるのに一旦停止量が１８リットルに設定された場合、２リットルの追加給油を行なうように設定することができる。
【００６３】
Ｓ９２では、給油停止スイッチ釦３８がオンかどうかをチェックする。このＳ９２において、給油停止スイッチ釦３８がオンであるときは、今回給油が終了したものと判断してＳ９３に進み、次給油フラグをリセットする。その後、Ｓ９４に進み、給油ポンプ４５のモータ４８を停止させると共に、Ｓ９５で給油を終了させ、且つポリ容器３２へ給油された給油量データを給油終了信号としてオートレジスタ１８へ出力する。
【００６４】
また、上記Ｓ９２において、給油停止スイッチ釦３８がオフであるときは、Ｓ９６に進み、給油操作スイッチ釦３６がオンに再操作されたかどうかをチェックする。そして、Ｓ９６において、給油操作スイッチ釦３６がオフであるときは、Ｓ９８に進み、予め設定された所定時間ｔが経過したかどうかをチェックする。Ｓ９８において、所定時間ｔが経過する前は上記Ｓ９０に戻り、所定時間ｔが経過したときは、前述したＳ９９に進み、エラーを報知する。また、上記Ｓ９６において、給油操作スイッチ釦３６がオンであるときは、Ｓ９７に進み、今回の追加給油又は次回の給油を行なうものと判断して再給油フラグを１にセットする。その後、前述したＳ８４の一旦停止量設定処理へ移行する。
【００６５】
このように、変形例２では、給油パイプ機構２８のパイプ２８ａの上昇操作の有無によって今回給油の追加給油を行なうのか、あるいは別のポリ容器３２への次回給油を行なうのかを自動的に判別することができる。
図１０は変形例２に対応する制御処理を説明するためのフローチャートである。
【００６６】
図１０に示されるように、Ｓ１１１では今回給油量のカウンタをリセットする。尚、表示器３４に表示される給油量の数値は、そのまま表示させる。
次のＳ１１２では、再給油フラグが１にセットされているかどうかをチェックする。このＳ１１２において、再給油フラグが１にセットされているときは、Ｓ１１３に進み、次給油フラグが１にセットされているかどうかをチェックする。
【００６７】
Ｓ１１３において、次給油フラグが１にセットされていないときは、今回給油の追加給油を行なうものと判断してＳ１１４に進み、一旦停止量を２リットルに設定する。そして、Ｓ１１５では、プリセットされた設定量（２リットル）を金額プリペイドカードの金額データから減算する。続いて、Ｓ１１６で再給油フラグをリセットして今回の一旦給油量設定処理を終了する。
【００６８】
また、上記Ｓ１１３において、次給油フラグが１にセットされているときは、Ｓ１１７に進み、再給油フラグ及び次給油フラグをリセットする。また、上記Ｓ１１２において、再給油フラグが１にセットされていないときは、上記Ｓ１１３，Ｓ１１７の処理を省略してＳ１１８に移行する。
尚、Ｓ１１８〜Ｓ１３５の処理は、前述した図７のＳ３２〜Ｓ４９の処理と同じため、Ｓ１１８以降の処理の説明を省略する。
【００６９】
このように、再給油フラグが１にセットされている場合には、２０リットルの容量を有するポリ容器３２に対し１８リットルの一旦給油量が設定されており、一旦停止量設定処理が行なわれたポリ容器３２への追加給油を行なうことを認識することができる。
また、次給油フラグが１にセットされている場合には、別のポリ容器３２への次回給油を行なうことを認識することができ、給油量プリペイドカード記憶されているカードデータ（１８リットル又は２０リットル又は金額）の種類に基づいてポリ容器３２の容量に応じた一旦停止量を設定することができる。
【００７０】
従って、従来のように手動で給油可能量を設定操作する必要がなく金額プリペイドカードを使用する場合でも面倒な設定操作が不要となり、セルフサービス給油の操作が容易に行なえる。
尚、上記実施例では、灯油を販売する場合を一例として挙げたが、これに限らず、灯油以外の油液をポリ容器に給油して販売する場合にも適用できるのは言うまでもない。
【００７１】
【発明の効果】
上述の如く、上記請求項１記載の発明によれば、給油操作スイッチが再度操作された場合には、比較手段の比較結果により新たな設定値が一旦停止量以上であると判断された場合には、給油量が当該一旦停止量に達した時点で給油を停止させるように送液手段を制御するとともに、新たな設定値より一旦停止量を差し引いた値を更なる新たな設定値として設定し、また、新たな設定値が一旦停止量以上でないと判断された場合には、給油量が当該新たな設定値に達した時点で給油を停止させるように送液手段を制御し、もって、給油操作スイッチが操作される毎に一旦停止量を上限とした給油が繰り返し行なわれるため、手動で給油可能量を設定操作する必要がなく金額プリペイドカードを使用する場合でも面倒な設定操作が不要となり、セルフサービス給油の操作が容易に行なえる。
【００７２】
また、上記請求項２記載の発明によれば、一旦停止量の給油が停止してから所定時間以内に給油操作スイッチが操作された場合には、同一の被給油容器への追加給油であるものと判断するため、２回目以降の給油が追加給油か別の被給油容器への給油かを設定する必要がなく、セルフサービス給油の操作が容易に行なえる。
【００７３】
また、上記請求項３記載の発明によれば、一旦停止量の給油が停止してから給油パイプ機構が上昇されることなく給油スイッチが操作された場合には、同一の被給油容器への追加給油であるものと判断するため、２回目以降の給油が追加給油か別の被給油容器への給油かを設定する必要がなく、セルフサービス給油の操作が容易に行なえる。
【図面の簡単な説明】
【図１】本発明になる給油装置の一実施例を示す構成図である。
【図２】計量機１２の正面図である。
【図３】計量機１２の右側面図である。
【図４】計量機１２の内部構成を示す縦断面図である。
【図５】計量機１２の制御系の構成を示すブロック図である。
【図６】計量機１２の制御回路６０が実行する制御処理を説明するためのフローチャートである。
【図７】図６のＳ１４で実行される一旦停止量設定処理のサブルーチンを説明するためのフローチャートである。
【図８】図６に示す制御処理の変形例１を説明するためのフローチャートである。
【図９】図６に示す制御処理の変形例２を説明するためのフローチャートである。
【図１０】変形例２に対応する制御処理を説明するためのフローチャートである。
【符号の説明】
１１  給油装置
１２  計量機
１４  カードリーダボックス
１８  オートレジスタ
２０  券売機
２４，２６  給油系統
２７  泡センサ
２８  給油パイプ機
３２  ポリ容器
３３  注油管路
３４  表示器
３６  給油操作スイッチ釦
３８  給油停止スイッチ釦
４０  筐体
４２  給油管路
４４  ベーンポンプ
４６  電磁弁
４７  流量計
５４  給油量表示部
５６  プリセット値表示部
５８  状態表示部
６０  制御回路
【図１】
0004187335.tif 000002
【図２】
0004187335.tif 000003
【図３】
0004187335.tif 000004
【図４】
0004187335.tif 000005
【図５】
0004187335.tif 000006
【図６】
0004187335.tif 000007
【図７】
0004187335.tif 000008
【図８】
0004187335.tif 000009
【図９】
0004187335.tif 000010
【図１０】
0004187335.tif 000011